(57)【要約】【課題】単数又は複数の被挟持物を綴じたり、所望する場所に吊下げたりする等の様々な用途及び目的に用いることができる係止機能付きクリップを提供する。【解決手段】単数又は複数からなる被挟持物ＡＫ…を、係止機能付きクリップ１を構成するクリップ本体２の各挟持片２ａ，２ａ間に挟み込み、各挟持片２ａ，２ａ及び連結片２ｂに蓄積された復元力により挟持した後、クリップ本体２に設けたフック４を、ファイルＡに取り付けられた綴じ具Ｂの各綴じ杆Ｂａ…又は綴じ具Ｃの各パイプＣａ…に係止して綴じるか、所望する場所に固定した吊掛け具Ｄの突起Ｄａに係止して吊下げる。【選択図】  図１
2006315331.tif 000002
【特許請求の範囲】
【請求項１】
被挟持物を挟持する一対の各挟持片と、該各挟持片を連結する連結片とからなるクリップ本体を板状バネにより構成したクリップであって、
上記クリップ本体に、所望する部分に対して係止される係止部を設けた
係止機能付きクリップ。
【請求項２】
上記各挟持片の前側縁部に対して一対の各操作杆を回動自在に取り付けた
請求項１に記載の係止機能付きクリップ。
【請求項３】
上記係止部の一側部に設けた両端部を、上記連結片の両側縁部に対して回動自在に取り付けた
請求項１又は２に記載の係止機能付きクリップ。
【請求項４】
上記係止部の一側部に設けた両端部を、上記クリップ本体の反挟持側角隅部に対して回動自在に取り付けた
請求項１又は２に記載の係止機能付きクリップ。
【請求項５】
上記係止部の一側部に設けた軸部を、上記連結片に形成した孔部に対して回動自在に取り付けた
請求項１又は２に記載の係止機能付きクリップ。
【請求項６】
上記係止部の軸部が差し込み許容される溝部を、上記連結片に形成した孔部と連続して挟持片に設けた
請求項５記載の係止機能付きクリップ。
【請求項７】
上記係止部を、上記クリップ本体に対して一体的に設けた
請求項１又は２に記載の係止機能付きクリップ。
【請求項８】
上記係止部を、フック又はマグネットで構成した
請求項１乃至７のいずれか一つに記載の係止機能付きクリップ。
【発明の詳細な説明】
【技術分野】
【０００１】
この発明は、例えば書類、カタログ、写真、掲示物等の被挟持物を綴じたり、所望する場所に吊下げるのに用いることができる係止機能付きクリップに関する。
【背景技術】
【０００２】
従来、上述のような書類を綴じる方法としては、例えばファイルの折り曲げ部に取り付けられた両開き式綴じ具の各綴じ杆（又は各パイプ）を、書類の縁部に穿設された複数の孔部に挿通する方法が一般的であるが、書類を閲覧する際に、孔部付近に亀裂や割れ等が発生しやすく、書類の孔部が破損しまうとファイルすることができなくなる。また、孔部を穿設する際に、書類の内容が一部欠落したり、判読困難になることもあるので、孔部を穿設する位置を予め考慮して印刷しなければならない。また、綴じ具を構成する複数の各綴じ杆を、書類に穿設した複数の各孔部に対して挿通するのに手間が掛かる。また、孔部を穿設する作業が大変煩わしく、書類の枚数が多くなるほど、多数枚の書類をファイリングするのに手間及び時間が掛かる。
【０００３】
他の方法としては、例えば断面コ字形を有するクリップ本体の前縁両側に形成した各筒状部に、弾力のある線状素材で略Ｕ字状に形成した柄部の両端突起部を差し込み、取り外し自在に設けた特許文献１の事務用クリップがあるが、書類を挟み込むものであり、クリップ自体をファイルの綴じ具に綴じ込んだり、吊掛け部に吊下げるという構成及び思想の開示がなく、単数又は複数の書類を挟持する以外の用途に用いることができない。
【０００４】
また、一対の挟持片に連結した各操作片を指により摘んで、各挟持片を連結する連結片を弾性変形させ、各挟持片を被挟持物の挟持が許容される間隔に開いて、各挟持片の間に被挟持物を挟持する特許文献２のクリップがあるが、各操作片に設けた孔部を利用して、クリップ自体をファイルの綴じ具に綴じ込んだり、吊掛け部に吊下げる等した場合、各操作片の孔部付近を指により摘むため、一対の各挟持片を開くことができない。
【０００５】
【特許文献１】特開平８−１３２７７５号公報
【特許文献２】実公平７−１２０４７号公報
【発明の開示】
【発明が解決しようとする課題】
【０００６】
この発明は上記問題に鑑み、被挟持物自体の形状及び形態を変えることなく、単数又は複数の被挟持物を綴じたり、所望する場所に吊下げたりする等の様々な用途及び目的に用いることができる係止機能付きクリップの提供を目的とする。
【課題を解決するための手段】
【０００７】
請求項１に記載した発明の係止機能付きクリップは、被挟持物を挟持する一対の各挟持片と、該各挟持片を連結する連結片とからなるクリップ本体を板状バネにより構成したクリップであって、上記クリップ本体に、所望する部分に対して係止される係止部を設けたことを特徴とする。
【０００８】
上記被挟持物は、例えば書類、カタログ、写真、掲示物、その他等の挟持可能な厚みや材質を有するもので構成することができる。また、係止部は、例えば略リング状のフック、略鉤状のフック等の所望する部分に対して係止可能な形状を有するもので構成することができ、クリップ本体を構成する挟持片、連結片に設けることができる。また、所望する部分は、例えばファイルに取り付けられた綴じ具、あるいは、壁、柱、天井、掲示部等の所望する場所に固定した吊掛け具等で構成することができる。
【０００９】
この発明によると、単数又は複数からなる被挟持物を、係止機能付きクリップを構成するクリップ本体の各挟持片間に挟み込み、各挟持片及び連結片に蓄積された復元力により挟持した後、クリップ本体に設けた係止部を、例えばファイルに取り付けられた綴じ具の各綴じ杆又は各パイプに係止するか、所望する場所に固定した吊掛け具の突起に係止する。
【００１０】
請求項２に記載した発明の係止機能付きクリップは、上記請求項１に記載の構成と併せて、上記各挟持片の前側縁部に対して一対の各操作杆を回動自在に取り付けたことを特徴とする。
【００１１】
この発明によると、一対の各操作杆を反挟持側に回動操作してクリップ本体の反挟持側角隅部に当接するとともに、その反挟持側角隅部を支点として、テコの原理により、各挟持片の挟持側端部を、クリップ本体の復元力に抗して、被挟持物の挟み込み及び抜き取りが許容される間隔に拡張する。
【００１２】
請求項３に記載した発明の係止機能付きクリップは、上記請求項１又は２に記載の構成と併せて、上記係止部の一側部に設けた両端部を、上記連結片の両側縁部に対して回動自在に設けたことを特徴とする。
【００１３】
この発明によると、係止部を、例えばファイルに取り付けられた綴じ具の各綴じ杆又は各パイプに対して係止が容易に行えるような角度に回動することができる。
【００１４】
請求項４に記載した発明の係止機能付きクリップは、上記請求項１又は２に記載の構成と併せて、上記係止部の一側部に設けた両端部を、上記クリップ本体の反挟持側角隅部に対して回動自在に取り付けたことを特徴とする。
【００１５】
この発明によると、被挟持物を挟み込むとき及び抜き取るときに、クリップ本体の略全体（特に連結片）が弾性変形しやすく、各挟持片を、被挟持物の挟み込み及び抜き取りが許容される間隔に拡張する操作が容易に行える。
【００１６】
請求項５に記載した発明の係止機能付きクリップは、上記請求項１又は２に記載の構成と併せて、上記係止部の一側部に設けた軸部を、上記連結片に形成した孔部に対して回動自在に取り付けたことを特徴とする。
【００１７】
この発明によると、クリップ本体と係止部とを正逆方向に対して相対回動することができ、相互の向き及び角度が規制されることがなく、係止機能付きクリップを綴じる作業及び吊下げる作業と、被挟持物を、綴じる又は吊下げられた係止機能付きクリップに挟み込む作業とが容易に行える。
【００１８】
請求項６に記載した発明の係止機能付きクリップは、上記請求項５に記載の構成と併せて、上記係止部の軸部が差し込み許容される溝部を、上記連結片に形成した孔部と連続して挟持片に設けたことを特徴とする。この発明によると、溝部に対する係止部の差し込み及び抜き取りが容易に行えるとともに、所望するサイズの係止部に交換することもできる。
【００１９】
請求項７に記載した発明の係止機能付きクリップは、上記請求項１又は２に記載の構成と併せて、上記係止部を、上記クリップ本体に対して一体的に設けたことを特徴とする。この発明によると、上記筒状部や孔部等をクリップ本体に設ける必要がなく、組付け工数及び組付け工程を削減して、安価に製造することができる。
【００２０】
請求項８に記載した発明の係止機能付きクリップは、上記請求項１乃至７のいずれか一つに記載の構成と併せて、上記係止部を、フック又はマグネットで構成したことを特徴とする。この発明によると、係止部を、フックで構成した場合、クリップ本体に設けたフックを、例えばファイルに取り付けられた綴じ具の各綴じ杆又は各パイプを係止するか、所望する場所に固定した吊掛け具の突起に吊り掛けることができる。
【００２１】
また、係止部を、マグネットで構成した場合、マグネットを吸着固定することが可能な金属部分さえあれば、マグネットの磁力を利用して、係止機能付きクリップを所望する場所に吊下げ又は取り付けたり、金属製の綴じ具に対して吸着固定することもできる。
【発明の効果】
【００２２】
この発明によれば、係止機能付きクリップを構成するクリップ本体に設けた係止部を、例えばファイルに取り付けられた綴じ具に係止するか、所望する場所に固定した吊掛け具に係止するので、被挟持物に孔部を穿設したり、被挟持物に穿設した各孔部に対して綴じ具の各綴じ杆を挿通するような手間及び作業が省けるだけでなく、綴じ込みや吊下げ等の作業が簡単且つ容易に行え、様々な用途及び目的に用いることができる。また、被挟持物が破損したり、被挟持物に記載された内容が判読困難になることもなく、被挟持物自体の形状及び形態を維持することができる。
【００２３】
また、一対の各操作杆を反挟持側に回動操作してクリップ本体の反挟持側角隅部に当接するとともに、その反挟持側角隅部を支点として、テコの原理により、各挟持片の挟持側端部を強制的に拡張するので、クリップ本体を綴じ具又は吊掛け具に取り付けたままでも、被挟持物をクリップに挟み込んだり、抜き取ったりすることができる。
【発明を実施するための最良の形態】
【００２４】
この発明は、単数又は複数の被挟持物を綴じたり、所望する場所に吊下げたりする等の様々な用途及び目的に用いることができるという目的を、一対の各挟持片と連結片とからなるクリップ本体に、該クリップ本体を所望する部分に対して係止することが可能な係止部を設けることで達成した。
【実施例】
【００２５】
この発明の一実施例を以下図面に基づいて詳述する。
【００２６】
図面は、弾性を有する単一の板状バネを折り曲げてなる係止機能付きクリップの第１の例を示し、図１に於いて、この係止機能付きクリップ１は、弾性を有する単一の板状バネを折り曲げてなるクリップ本体２と、クリップ本体２の前側縁部に取り付けられた一対の各操作杆３，３と、クリップ本体２の後側中央部に取り付けられた略リング状のフック４とで構成される。
【００２７】
上記クリップ本体２は、図２、図３、図４に示すように、弾性を有する単一の板状バネを側面から見て略三角形状に折り曲げて構成され、挟持側前端部が互いに当接する角度に折り曲げられた一対の各挟持片２ａ，２ａと、各挟持片２ａ，２ａの反挟持側後端部を一体的に連結する連結片２ｂとを、単一の板状バネにより形成するとともに、各挟持片２ａ，２ａの挟持側前端部を、各挟持片２ａ，２ａ及び連結片２ｂに蓄積された復元力により互いに圧接している。
【００２８】
且つ、後述する操作杆３の各端部３ａ，３ａが軸受される各筒状部２ｃ，２ｃを、各挟持片２ａ，２ａの前側縁部を相反する方向（外側）に折り返して形成し、後述するフック４の各端部４ａ，４ａが軸受される各筒状部２ｄ，２ｄを、連結片２ｂの外側両縁中央部に形成している。なお、実施例では、各筒状部２ｄ，２ｄを、連結片２ｂに対して一体的に溶着固定しているが、クリップ本体２の一部を筒状に折り曲げて形成してもよい。
【００２９】
前記操作杆３，３は、剛性を有する金属製の線材を平面から見て略Ｕ字状に折り曲げて構成され、各挟持片２ａ，２ａの外側斜面に沿わせたとき、各挟持片２ａ，２ａの反挟持側後端部及び該反挟持側後端部に連結した連結片２ｂよりも後方に向けて所望する長さ突出する長尺寸法に形成している。
【００３０】
且つ、操作杆３の両端部を相反する方向に折り曲げてなる各端部３ａ，３ａを、
各挟持片２ａ，２ａの前側縁部を相反する方向（外側）に折り返してなる各筒状部２ｃ，２ｃに対して内側から差し込み、端部３ａが軸受された挟持片２ａの外側斜面に沿う角度と、反軸受側の挟持片２ａの前側縁部に当接する角度との間で所望する角度に回動自在に設けている。
【００３１】
前記フック４は、剛性を有する金属製の線材を平面から見て略リング状に折り曲げて構成され、フック４の両端部を相反する方向に折り曲げてなる各端部４ａ，４ａを、連結片２ｂの中央両側縁部に形成した各筒状部２ｄ，２ｄに対して内側から差し込み、連結片２ｂの反挟持側に形成した上側角隅部に当接する角度と、反挟持側に形成した下側角隅部に当接する下向き角度との間で所望する角度に回動自在に設けている。
【００３２】
また、フック４の外面を、例えば合成ゴムや合成樹脂等の接触抵抗の大きい滑り止め部材により被覆又は形成してもよい。また、略リング状のフック４に代えて、略鉤状のフックに取り替えてもよい。
【００３３】
図示実施例は上記の如く構成するものにして、以下、上述の係止機能付きクリップ１により被挟持物ＡＫを綴じる方法又は吊下げる方法を説明する。
【００３４】
先ず、図４に示すように、クリップ本体２に取り付けた各操作杆３，３を反挟持側に回動操作して、各操作杆３，３を各挟持片２ａ，２ａの外側斜面に沿わせた後、各操作杆３，３の遊端部を指により摘んで、各操作杆３，３の中間部をクリップ本体２の反挟持側角隅部に当接する。
【００３５】
且つ、クリップ本体２の反挟持側角隅部を支点として、テコの原理により、各挟持片２ａ，２ａの挟持側前端部を、連結片２ｂの復元力に抗して、被挟持物ＡＫの挟み込みが許容される開状態に拡張した後、複数の被挟持物ＡＫ…を一つに束ねたまま各挟持片２ａ，２ａの挟持側前端部間に挟み込み、各挟持片２ａ，２ａ及び連結片２ｂに蓄積された復元力により、各挟持片２ａ，２ａの挟持側前端部を、被挟持物ＡＫ…が挟持される閉状態に復帰させて、複数束ねてなる被挟持物ＡＫ…の一側縁部を、一つ又は複数の係止機能付きクリップ１により一体的に挟持固定する。また、単数の被挟持物ＡＫの一側縁部を、一つ又は複数の係止機能付きクリップ１により一体的に挟持固定してもよい。
【００３６】
次に、複数束ねてなる被挟持物ＡＫ…の一側縁部に対して所定間隔に隔てて取り付けられた各係止機能付きクリップ１…の各フック４…に、図５に示すように、ファイルＡに取り付けられたリング型綴じ具Ｂの各綴じ杆Ｂａ…を挿通するか、図６に示すように、パイプ型綴じ具Ｃの各パイプＣａ…を挿通する等して綴じる。
【００３７】
また、単数又は複数の被挟持物ＡＫが収容された透光性を有するクリアファイルの一側縁部（出し入れ縁部）を、一つ又は複数の係止機能付きクリップ１により一体的に挟持固定した後、クリアファイルの一側縁部に対して所定間隔に隔てて取り付けられた各係止機能付きクリップ１…の各フック４…に、綴じ具Ｂの各綴じ杆Ｂａ…又は綴じ具Ｃの各パイプＣａ…を挿通する等して綴じることもできる。
【００３８】
また、図７に示すように、単数又は複数の被挟持物ＡＫの一側縁部に取り付けるか、単数又は複数の被挟持物ＡＫが収容されたクリアファイルの一側縁部に取り付けられた各係止機能付きクリップ１…の各フック４…を、例えば壁、柱、天井、掲示部等に固定した吊掛け具Ｄ，Ｄの突起Ｄａ，Ｄａに係止すれば、例えば書類、カタログ、写真、掲示物等の所望する内容が書かれた単数又は複数の被挟持物ＡＫを、所望する場所に固定した吊掛け具Ｄ，Ｄの吊下げることができる。
【００３９】
以上のように、係止機能付きクリップ１を構成するクリップ本体２に設けたフック４を、ファイルＡに取り付けられた綴じ具Ｂの各綴じ杆Ｂａ…又は綴じ具Ｃの各パイプＣａ…に係止するか、所望する場所に固定した吊掛け具Ｄの突起Ｄａに係止するので、被挟持物ＡＫに孔部を穿設したり、被挟持物ＡＫに穿設した各孔部に対して綴じ具Ｂの各綴じ杆Ｂａ…又は綴じ具Ｃの各パイプＣａ…を挿通するような手間及び作業が省けるだけでなく、綴じ込み（ファイリング）や吊下げ等の作業が簡単且つ容易に行え、様々な用途及び目的に用いることができる。
【００４０】
また、被挟持物ＡＫが破損したり、被挟持物ＡＫに記載された内容が判読困難になることもなく、被挟持物ＡＫ自体の形状及び形態を維持することができる。
【００４１】
また、一対の各操作杆３，３を反挟持側に回動操作してクリップ本体２の反挟持側角隅部に当接するとともに、その反挟持側角隅部を支点として、テコの原理により、各挟持片２ａ，２ａの挟持側端部を強制的に拡張するので、係止機能付きクリップ１を綴じ具Ｂ，Ｃ又は吊下げ具Ｄに取り付けたままでも、被挟持物ＡＫを、係止機能付きクリップ１に挟み込んだり、抜き取ったりすることができる。
【００４２】
図８は、フック４を、係止機能付きクリップ１を構成するクリップ本体２の反挟持側角隅部に設けた第２の例を示し、フック４の各端部４ａ，４ａを、クリップ本体２の反挟持側角隅部に形成した各筒状部２ｄ，２ｄにより軸受しているので、被挟持物ＡＫを挟み込むとき及び抜き取るときに、クリップ本体２の略全体（特に連結片２ｂ）が適度に弾性変形しやすく、また、一部に応力が集中するようなこともなく、各挟持片２ａ，２ａを、被挟持物ＡＫの挟み込み及び抜き取りが許容される間隔に拡張する操作が容易に行え、上記実施例と略同等の作用及び効果を奏することができる。
【００４３】
図９は、フック４を、係止機能付きクリップ１を構成するクリップ本体２に対して一体的に設けた第３の例を示し、フック４の各端部４ａ，４ａを、例えば溶着、接着、ネジ、リベット等の固定手段によりクリップ本体２の連結片２ｂに対して一体的に固定しているので、上記実施例と略同等の作用及び効果を奏することができる。且つ、各筒状部２ｄ，２ｄをクリップ本体２に設ける必要がなく、組付け工数及び組付け工程を削減して、安価に製造することができる。また、フック４を、図８に示すクリップ本体２の反挟持側角隅部に設けてもよい。
【００４４】
図１０は、フック４の軸部４ｂを、係止機能付きクリップ１を構成するクリップ本体２に軸受した第４の例を示し、フック４の一側部に設けた軸部４ｂを、クリップ本体２の連結片２ｂに形成した孔部２ｅに挿通した後、軸部４ｂの突出側端部をカシメ加工するか、軸部４ｂに抜止め部材を固定する等して、フック４を、軸部４ｂを中心として回動自在に軸受しているので、クリップ本体２とフック４とを正逆方向に対して相対回動することができ、相互の向き及び角度が規制されることがなく、係止機能付きクリップ１により挟持された被挟持物ＡＫを綴じ具Ｂ，Ｃに綴じる作業及び吊掛け具Ｄに吊下げる作業と、被挟持物ＡＫを、綴じ具Ｂ，Ｃ又は吊掛け具Ｄに取り付けられた係止機能付きクリップ１に挟み込む作業とが容易に行え、上記実施例と略同等の作用及び効果を奏することができる。
【００４５】
図１１は、フック４の軸部４ｂを、係止機能付きクリップ１を構成するクリップ本体２の孔部２ｅに対して溝部２ｆから差し込んで軸受した第５の例を示し、フック４の軸部４ｂが差し込み許容され、孔部２ｅから抜き取るときに抵抗が付与される溝部２ｆを、上記孔部２ｅと連続して挟持片２ａに形成している。つまり、フック４の軸部４ｂを、クリップ本体２の挟持片２ａに形成した溝部２ｆに沿って差し込み、連結片２ｂに形成した孔部２ｅにより回動自在に軸受するので、上記実施例と略同等の作用及び効果を奏することができる。また、フック４の差し込み及び抜き取りが容易に行えるだけでなく、所望するサイズのフック４に交換することもできる。
【００４６】
図１２は、マグネット５を、係止機能付きクリップ１を構成するクリップ本体２に取り付けた第６の例を示し、マグネット５の反吸着側に設けた各端部５ａ，５ａを、クリップ本体２の連結片２ｂに設けた各筒状部２ｄ，２ｄで軸受しているので、マグネット５を吸着固定することが可能な金属部分さえあれば、マグネット５の磁力を利用して、係止機能付きクリップ１により挟持された被挟持物ＡＫを所望する場所に吊下げ又は取り付けることが可能であり、上記実施例と略同等の作用及び効果を奏することができる。また、係止機能付きクリップ１を、金属製の綴じ具Ｂ，Ｃに対して吸着固定することもできる。また、マグネット５を、第１乃至第５の例と同様にして、クリップ本体２に取り付けてもよい。
【００４７】
この発明の構成と、上述の実施例との対応において、  
この発明の係止部は、実施例のフック４と、マグネット５とに対応するも、  
この発明は、上述の実施例の構成のみに限定されるものではなく、請求項に示される技術思想に基づいて応用することができ、多くの実施の形態を得ることができる。
【００４８】
また、一対の各挟持片２ａ，２ａを拡張する工具類があれば、一対の各操作杆３，３をクリップ本体２に取り付ける必要がなく、係止機能付きクリップ１を、クリップ本体２とフック４とで構成することもできる。
【産業上の利用可能性】
【００４９】
本発明の係止機能付きクリップは、被挟持物の綴じ込み（ファイリング）や吊下げ以外の用途及び目的にも用いることができる。
【図面の簡単な説明】
【００５０】
【図１】係止機能付きクリップの第１の例を示す斜視図。
【図２】係止機能付きクリップを示す平面図。
【図３】フックの回動状態を示す側面図。
【図４】クリップによる被挟持物の挟持方法を示す側面図。
【図５】リング型綴じ具の綴じ杆に取り付けた例を示す平面図。
【図６】パイプ型綴じ具のパイプに取り付けた例を示す平面図。
【図７】壁面に固定された吊掛け具に吊下げた例を示す正面図。
【図８】フックをクリップの反挟持側角隅部に設けた第２の例を示す斜視図。
【図９】フックをクリップに対して一体的に設けた第３の例を示す斜視図。
【図１０】フックをクリップに軸受した第４の例を示す斜視図。
【図１１】フックをクリップの溝部に差し込んだ第５の例を示す斜視図。
【図１２】マグネットをクリップに取り付けた第６の例を示す斜視図。
【符号の説明】
【００５１】
ＡＫ…被挟持物
Ａ…ファイル
Ｂ，Ｃ…綴じ具
Ｂａ…綴じ杆
Ｃａ…パイプ
Ｄ…吊掛け具
Ｄａ…突起
１…係止機能付きクリップ
２…クリップ本体
２ａ…挟持片
２ｂ…連結片
２ｃ，２ｄ…筒状部
２ｅ…孔部
２ｆ…溝部
３…操作杆
４…フック
４ｂ…軸部
５…マグネット
【図１】
2006315331.tif 000003
【図２】
2006315331.tif 000004
【図３】
2006315331.tif 000005
【図４】
2006315331.tif 000006
【図５】
2006315331.tif 000007
【図６】
2006315331.tif 000008
【図７】
2006315331.tif 000009
【図８】
2006315331.tif 000010
【図９】
2006315331.tif 000011
【図１０】
2006315331.tif 000012
【図１１】
2006315331.tif 000013
【図１２】
2006315331.tif 000014